(57)【要約】  【課題】  遊技機の遊技盤上の部品に立体感を持たせ、目を楽しませるようにしたり、遊技者が直接触る部分の触感を良好にすることにより、遊技者が長時間遊技をしても遊技者の疲労感を軽減できるようにすること。  【解決手段】  パチンコ機やスロット機等の遊技機において、遊技者が視覚的または触覚的に接する部材、例えばパチンコ機の障害釘３の頭部に接着剤を塗布し、その上にパイル長さが０．２ｍｍから０．６ｍｍ、パイル径が１．５±０．５デニールのパイルを吹き付け、更にその上に有機または無機のミネラル材料を添加した塗料が塗装された表面処理層Ｓが設けられている。  【選択図】  図１
2005177045.tif 000002
【特許請求の範囲】
【請求項１】
パチンコ機やスロット機等の遊技機において、遊技者が視覚的または触覚的に接する部材には植毛が施された表面処理層が設けられていることを特徴とする遊技機。
【請求項２】
パチンコ機やスロット機等の遊技機において、遊技者が視覚的または触覚的に接する部材には接着剤を塗布し、更にパイルを吹き付けて形成した表面処理層が設けられていることを特徴とする遊技機。
【請求項３】
パチンコ機やスロット機等の遊技機において、遊技者が視覚的または触覚的に接する部材には、接着剤を塗布し、更に有機または無機のミネラル材料を添加した塗料が塗装された表面処理層が設けられていることを特徴とする遊技機。
【請求項４】
パチンコ機やスロット機等の遊技機において、遊技者が視覚的または触覚的に接する部材には、接着剤を塗布し、その上にパイルを吹き付け、更にその上に有機または無機のミネラル材料を添加した塗料が塗装された表面処理層が設けられていることを特徴とする遊技機。
【請求項５】
前記接着剤には抗菌防カビ材を含ませたことを特徴とする請求項２乃至４のいずれかに記載の遊技機。
【請求項６】
前記表面処理層の上に前記パイルが剥がれないように塗料を塗装して塗装膜を形成したことを特徴とする請求項２又は４に記載の遊技機。
【請求項７】
前記接着剤又は塗料のいずかには顔料が含まれていることを特徴とする請求項２、３、４、６のいずれかに記載の遊技機。
【請求項８】
前記パイルには抗菌防カビ材を含ませたことを特徴とする請求項２又は４に記載の遊技機。
【発明の詳細な説明】
【技術分野】
【０００１】
本発明は、パチンコ機やスロット機等で代表される遊技機に関するものであり、詳しくは遊技者が視覚的または触覚的に接する部材、例えば、パチンコ機にあっては、遊技盤に立設された障害釘、操作ハンドル、打球供給皿、玉受け皿など、スロット機においては、メタル受け皿などを備えた遊技機に関する。
【背景技術】
【０００２】
従来のこの種の遊技機、例えば、パチンコ機の遊技盤には、操作ハンドルから発射されたパチンコ球を誘導する誘導レールがほぼ円形に植立され、この誘導レールで区画された遊技領域にはパチンコ玉の通路を変更したり、妨げたりする多数の障害釘が立設されている。
【０００３】
障害釘は真鍮釘であるため、遊技盤に施されている華やかなデザインを損なう問題があり、そこで、障害釘の頭部にカラーリング塗装をしたものや障害釘をカラーリング加工したものが知られている（特許文献１及び２参照）。
【０００４】
また、操作ハンドル、玉供給皿、玉受け皿を備えるパチンコ機は本体が樹脂成型品で作られており、一般的な塗装処理がなされている。そして、操作ハンドル等の操作部材には部分的にウレタン塗装を施し、滑り止め機能を付与したものも知られている（特許文献３参照）。
【特許文献１】特開平９−７５５１５号公報
【特許文献２】特開平９−１３５９４５号公報
【特許文献３】特許第３２８１４８８号
【発明の開示】
【発明が解決しようとする課題】
【０００５】
しかし、上述した障害釘にカラーリングを施したものでは、デザインを損なう問題は解消されるが、障害釘に立体感を持たせたり、遊技者の目を楽しませるものではなかった。
【０００６】
また、操作ハンドルや玉受け皿のように遊技者が手で触る部材にウレタン加工等を施したものでは、滑り止め機能は付与されるものの、目を楽しませたり、触感を良くするものではなく、遊技者が長時間遊技をすると疲労感を与えたり、手が汗ばみ、不潔になるなどの欠点があった。
【０００７】
そこで本発明は、上述した問題点に鑑みてなされたものであり、遊技者が視覚的または触覚的に接する部材に立体感を持たせ、目を楽しませるようにしたり、遊技者が直接触る部分の触感を良好にすることにより、遊技者が長時間遊技をしても遊技者の疲労感を軽減できるようにし、さらには、遊技機の部材に高級感を与えたり、部材の清潔性を保てるようにすることを目的とする。
【課題を解決するための手段】
【０００８】
このため第１の発明では、パチンコ機やスロット機等の遊技機において、遊技者が視覚的または触覚的に接する部材には植毛が施された表面処理層が設けられていることを特徴とする。
【０００９】
第２の発明は、パチンコ機やスロット機等の遊技機において、遊技者が視覚的または触覚的に接する部材には接着剤を塗布し、更にパイルを吹き付けて形成した表面処理層が設けられていることを特徴とする。
【００１０】
第３の発明は、パチンコ機やスロット機等の遊技機において、遊技者が視覚的または触覚的に接する部材には、接着剤を塗布し、更に有機または無機のミネラル材料を添加した塗料が塗装された表面処理層が設けられていることを特徴とする。
【００１１】
第４の発明は、パチンコ機やスロット機等の遊技機において、遊技者が視覚的または触覚的に接する部材には、接着剤を塗布し、その上にパイルを吹き付け、更にその上に有機または無機のミネラル材料を添加した塗料が塗装された表面処理層が設けられていることを特徴とする。
【００１２】
第５の発明は、第２乃至第４の発明において、前記接着剤には抗菌防カビ材を含ませたことを特徴とする。
【００１３】
第６の発明は、第２又は第４の発明において、前記表面処理層の上に前記パイルが剥がれないように塗料を塗装して塗装膜を形成したことを特徴とする。
【００１４】
第７の発明は、第２、３、４、６の発明において、前記接着剤又は塗料のいずかには顔料が含まれていることを特徴とする。
【００１５】
第８の発明は、第２又は第４の発明において、前記パイルには抗菌防カビ材を含ませたことを特徴とする。
【発明の効果】
【００１６】
第１の発明によれば、部材に植毛が施されているため、遊技機の遊技盤上の部材に立体感を持たせ、遊技者の目を楽しませたり、遊技者が直接触る部分の触感を良好にし、遊技者が長時間遊技をしても遊技者の疲労感を軽減できるようになる。
【００１７】
第２の発明によれば、部材表面にプライマー処理層を介して接着剤層が安定して設けられ、この接着剤層にパイルを吹き付けた植毛を行うことができ、接着剤層に含まれる抗菌防カビ材によって部材を清潔に維持でき、接着剤層に含まれる顔料やパイルの着色によって部材をカラフルにでき、装飾性を高めることができる。
【００１８】
第３の発明によれば、表面処理層の上に施された塗装によってパイルが抜け止めされ、植毛された部材の耐久性が損なわれないようにし、品質を維持できる。
【００１９】
第４の発明によれば、ミネラル材料を添加した塗装膜によって部材に立体感と高級感を持たせることができ、遊技者の目を楽しませたり、遊技者が直接触る部分の触感を良好にし、遊技者が長時間遊技をしても遊技者の疲労感を軽減できるようになる。
【００２０】
第５の発明によれば、部材表面にプライマー処理層を介して接着剤層が安定して設けられ、この接着剤層の上にミネラル材料を添加した塗装膜を形成することができ、接着剤層含まれる抗菌防カビ材によって部材を清潔に維持でき、接着剤層または塗装膜に含まれる顔料によって部材をカラフルにでき、装飾性を高めることができる。
【００２１】
第６の発明によれば、部材に植毛が施された表面処理層が設けられ、さらに、表面処理層がミネラル材料を添加した塗装膜によって覆われているため、植毛が施された表面処理層とミネラル材料を添加した塗装膜とによって部材に立体感と高級感を持たせることができ、遊技者の目を楽しませたり、遊技者が直接触る部分の触感を良好にし、遊技者が長時間遊技をしても遊技者の疲労感を軽減でき、さらには、表面処理層の上に施された塗装膜によってパイルが抜け止めされ、植毛された部材の耐久性が損なわれないようにし、品質を維持できる。
【００２２】
第７の発明によれば、部材表面にプライマー処理層を介して接着剤層が安定して設けられ、この接着剤層にパイルを吹き付けた植毛を行うことができるばかりでなく、この表面処理層の上に設けられたミネラル材料入りの塗装膜によってパイルの抜け止めを行うことができ、さらには、接着剤層に含まれる抗菌防カビ材によって部材を清潔に維持でき、接着剤層または塗装膜に含まれる顔料によって部材をカラフルにして装飾性を高めることができる。
【発明を実施するための最良の形態】
【００２３】
以下、本発明を実施するための最良の形態について、図面を参照して説明する。図１は遊技機の一例として示すパチンコ機である。図１において、１はパチンコ機本体であり、その前面上部には、ガラス扉２で覆われた遊技盤３には多数の障害釘４と入賞口５などが設けられている。また、パチンコ機本体１の中央部には玉供給皿６が、下部には操作ハンドル７と玉受け皿８とが設けられている。そして、遊技者が視覚的または触覚的に接する部材である前記パチンコ機本体１の木枠で構成された前面部１Ａや、障害釘４の頭部４Ａや、操作ハンドル７の頭部７Ａや、玉供給皿６及び玉受け皿８の外側部などには表面処理層Ｓが設けられている。
【００２４】
前記表面処理層Ｓは次のように形成される。まず、金属または樹脂の部材表面に接着性・密着性を向上させるための表面処理剤によりプライマー処理（下地加工）が施される。そして、乾燥処理を行い、プライマー処理層を形成する。
【００２５】
次に、このプライマー処理層の上に抗菌防カビ材及び顔料を含む接着剤を塗布し、これを乾燥させて接着剤層を形成する。抗菌防カビ材としては、インナーミル（株式会社エプロ製）やＫＢ−９（三佑株式会社製）が適している。
【００２６】
さらに、接着剤層の上にパイルを吹き付け、植毛を施して乾燥させる。パイルの材質としては、ナイロン（６−ナイロン、６６−ナイロン、その他を含む）、ポリエステル、アラミド繊維、人絹（レーヨン）などがあり、長さ及びパイル径は次のようにすると良い。
【００２７】
前記障害釘４の場合には、パイル長さは０．２ｍｍから０．６ｍｍ、パイル径は１．５±０．５デニールが適正であり、操作ハンドル６やその他の部材の場合には、パイル長さは１±０．５ｍｍ、パイル径は３±１デニールが適正である。
【００２８】
パイルへの着色は自由にでき、希望する色目を選定できる。パイル材質としては、ナイロン、ポリエステルが適性であるが、場合によって、アラミド繊維を用いても良い。特に、操作ハンドル７などは、遊技者が煙草の火を誤ってつけた場合を想定すると、耐熱不燃タイプのアラミド繊維が適している。
【００２９】
抗菌防カビ材はパイルそのものに予め練りこんでおくことも可能であり、接着剤に適性量添加しておくことも可能である。また、不燃タイプのアラミド繊維は常時入手可能な色目がナチュラルか黒色になるので、使用する接着剤に顔料を添加して色付けを行う。
【００３０】
このようにして植毛が施された表面処理層Ｓは、部材に立体感を持たせることができるため、障害釘４であれば、遊技盤の遊技領域に打ち込まれたパチンコ玉の流れが判り易くなり、遊技者の目を楽しませたることができ、操作ハンドル７であれば、触感が良好となり、手の汗ばみや滑りを抑えることができ、遊技者が長時間遊技をしても遊技者の疲労感を軽減できるようになる。
【００３１】
また、部材表面にプライマー処理層を介して接着剤層が安定して設けられ、この接着剤層にパイルを吹き付けた植毛を行うことができ、接着剤層やパイルに含まれる抗菌防カビ材によって部材を清潔に維持でき、接着剤層に含まれる顔料やパイルの着色によって部材をカラフルにでき、装飾性を高めることができる。
【００３２】
また、植毛が施された表面処理層の上に更に塗装を施し、パイルの抜け止めを行うようにすれば、植毛された部材の耐久性が損なわれないようにし、品質を維持することができる。
【００３３】
上述した部材の表面処理層Ｓは、接着剤層の上に植毛を施す代わりに、有機または無機のミネラル材料を添加した塗料を塗装したものでも良いし、植毛が施された接着剤層の上に、さらに、有機または無機のミネラル材料を添加した塗料を塗装したものでも良い。後者の場合、この塗装膜は、パイルの抜け止めを兼ねることができる。
【００３４】
ミネラル材料を充填材として添加した塗料としては、一般の溶剤タイプ（１液、２液等、全て可能）であり、常温乾燥タイプから焼き付けタイプまで全て対象となる。最適な材料としてはアクリル系であり、その他エポキシ系、ポリエステル系、ウレタン系、エポメラ系、メラニン系などがある。
【００３５】
また、ミネラル材料の充填剤としては、無機系の金箔・銀箔・アルミ箔はもちろんのこと、有機系の樹脂材料、繊維等に至るまであらゆるものが使用可能である。そして、粉末からフレーク状のものまで、必要に応じて着色し、塗料中に添加することにより、立体感、装飾性に優れた部材の表面処理を行うことができる。
【００３６】
このため、ミネラル材料を添加した塗装膜によって部材に立体感と高級感を持たせることができ、遊技者の目を楽しませたり、遊技者が直接触る部分の触感を良好にし、長時間遊技をしても遊技者の疲労感を軽減できるようになる。
【００３７】
また、パチンコ機の例に説明したが、本発明は、遊技者が視覚的または触覚的に接する部材を備えたスロット機等の遊技機に同様に適用できるものであり、特にメタル受け皿などに適用できる。
【００３８】
なお、以上本発明の実施態様について説明したが、上述の説明に基づいて当業者にとって種々の代替例、修正又は変形が可能であり、本発明の趣旨を逸脱しない範囲で前述の種々の代替例、修正又は変形を包含するものである。
【図面の簡単な説明】
【００３９】
【図１】遊技機としてのパチンコ機の概略全体正面図である。
【図２】パチンコ機の障害釘の要部拡大図である。
【図３】同じく操作ハンドルの要部拡大斜視図である。
【符号の説明】
【００４０】
１              パチンコ機（遊技機）本体
３              障害釘（部材）
６              玉供給皿（部材）
７              操作ハンドル（部材）
８              玉受け皿（部材）
Ｓ              表面処理層
【図１】
2005177045.tif 000003
【図２】
2005177045.tif 000004
【図３】
2005177045.tif 000005